Podtech/llm-jp-corpus-v4-ja_patent huggingface dataset:
【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
固定子中心の周囲に放射状パターンで第１の平面に磁石を有する磁石アセンブリと、
前記磁石アセンブリに隣接し、被覆導体の多重層のスタックを有する固定子コアであって、前記導体の層は複数のスポークを含み、スポークは前記固定子中心近傍の内部接続部でその層の隣接するスポークに電気的に結合され、固定子外側エッジ近傍の外部接続部でその層の隣接する別のスポークに電気的に結合されており、前記導体が矩形の断面を有し、前記スポークは、前記内部接続部に向けて幅が狭くなり、前記外部接続部に向けて幅が広くなる変化する幅を有し、前記被覆導体は、非金属元素が前記導体に化学的に結合されて前記導体上に絶縁性被覆層が形成されている、前記固定子コアと、を備えた固定子アセンブリ。
【請求項２】
前記導体はアルミニウムからなり、前記非金属元素が前記アルミニウムの導体上にサファイアの被覆を形成する酸素を含むか、又は、前記導体は銅からなり、前記非金属元素が前記銅の導体上にダイヤモンドの被覆を形成する炭素を含む、請求項１の固定子アセンブリ。
【請求項３】
固定子は被覆導体の多重層の複数のスタックを有し、前記複数のスタックは、第１のスタックが第２のスタックと入れ子になるように構成され、第１のスタックのスポークが、第２のスタックのスポークと隣接すると共に実質的に同一平面上で交互配置されている、請求項１の固定子アセンブリ。
【請求項４】
前記第１のスタックのスポークの部分が、前記第２のスタックのスポークと隣接すると共に実質的に同一平面上で交互配置され、前記第１のスタックのスポークは、前記第１のスタックの第１の平面から、前記第１の平面と異なり前記第１の平面と平行な第２の平面への曲がり部分を有し、
前記第１のスタックの前記内部接続部及び前記外部接続部は、前記第２の平面に位置する、請求項３の固定子アセンブリ。
【請求項５】
前記複数のスタックは、第１の相を有する第１のスタックと、前記第１の相と異なる第２の相を有する第２のスタックとを備える、請求項３の固定子アセンブリ。
【請求項６】
前記スポークは、第１及び第２の磁石アセンブリの磁極の動きに直交するように配置された複数の並行電流路を含む、請求項１の固定子アセンブリ。
【請求項７】
前記スポークの複数の並行電流路は、前記固定子中心近傍で電気的に結合するように単一の電流路に合流し、固定子外側エッジ近傍で電気的に結合するように単一の電流路に合流する、請求項６の固定子アセンブリ。
【請求項８】
前記導体の多重層は、蛇行形状で互いに折り重なり合う金属コイルからなる、請求項１の固定子アセンブリ。
【請求項９】
前記導体の少なくとも２つの層が並列に接続されているか、又は前記導体の少なくとも２つの層が直列に接続されている、請求項１の固定子アセンブリ。
【請求項１０】
前記磁石アセンブリは、第１の磁石アセンブリを備え、
前記固定子中心の周囲に放射状パターンで前記第１の平面と平行な第２の平面に磁石を有する第２の磁石アセンブリを更に備え、
前記固定子コアは、前記第１及び第２の磁石アセンブリの間にある、請求項１の固定子アセンブリ。
【請求項１１】
モータハウジングと、回転子と、シャフトと、固定子アセンブリと、を備え、
前記固定子アセンブリは、
固定子中心の周囲に放射状パターンで第１の平面に磁石を有する第１の磁石アセンブリと、
前記固定子中心の周囲に放射状パターンで前記第１の平面と平行な第２の平面に磁石を有する第２の磁石アセンブリと、
前記磁石アセンブリに隣接し、被覆導体の多重層のスタックを有する固定子コアであって、前記導体の層は複数のスポークを含み、スポークは前記固定子中心近傍の内部接続部でその層の隣接するスポークに電気的に結合され、固定子外側エッジ近傍の外部接続部でその層の隣接する別のスポークに電気的に結合されており、前記導体が矩形の断面を有し、前記スポークは、前記内部接続部に向けて幅が狭くなり、前記外部接続部に向けて幅が広くなる変化する幅を有し、前記被覆導体は、非金属元素が前記導体に化学的に結合されて前記導体上に絶縁性被覆層が形成されている、前記固定子コアと、を備えたモータアセンブリ。
【請求項１２】
前記モータアセンブリはリニアモータからなる、請求項１１のモータアセンブリ。
【請求項１３】
前記固定子アセンブリを前記シャフトに連結するための機械的取付部を更に備え、前記回転子は前記シャフトの周りを自由回転し、前記固定子コアの隣接する層が前記固定子中心近傍で互いに接続する、請求項１１のモータアセンブリ。
【請求項１４】
前記モータアセンブリはインホイールモータのモータからなる、請求項１３のモータアセンブリ。
【請求項１５】
前記固定子アセンブリを前記モータハウジングに連結するための機械的取付部を更に備え、前記回転子は前記シャフトに固定され、前記固定子コアの隣接する層が固定子外側エッジ近傍で互いに接続する、請求項１１のモータアセンブリ。
【請求項１６】
固定子は被覆導体の多重層の複数のスタックを有し、前記複数のスタックは、第１のスタックが第２のスタックと入れ子になるように構成され、
前記第１のスタックのスポークの部分が、前記第２のスタックのスポークと隣接すると共に実質的に同一平面上で交互配置され、前記第１のスタックのスポークは、前記第１のスタックの第１の平面から、前記第１の平面と異なり前記第１の平面と平行な第２の平面への曲がり部分を有し、
前記第１のスタックの前記内部接続部及び前記外部接続部は、前記第２の平面に位置する、請求項１１のモータアセンブリ。
【請求項１７】
前記導体はアルミニウムからなり、前記非金属元素が前記アルミニウムの導体上にサファイアの被覆を形成する酸素を含むか、又は、前記導体は銅からなり、前記非金属元素が前記銅の導体上にダイヤモンドの被覆を形成する炭素を含む、請求項１１のモータアセンブリ。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
核酸増幅法であって、
試料を、リン酸緩衝液構成成分を含まない配合を有し、第１の緩衝液を含む栄養培地と接触させることによって、集積培養物を形成することと、
前記集積培養物を、ある時間、標的微生物の生育を促進する温度に維持することと、
前記集積培養物を維持した後に、第１の体積の前記集積培養物を第２の体積の溶解緩衝液と混合し、第３の体積の水性組成物を形成することにより、前記水性組成物を形成することであって、
前記第１の体積の前記集積培養物を前記第２の体積の前記溶解緩衝液と混合することが、無希釈の第１の体積の前記集積培養物を前記第２の体積の前記溶解緩衝液と混合することを含み、
前記溶解緩衝液が第２の緩衝液を含み、
前記溶解緩衝液が有機多価陽イオンキレート試薬を含み、前記有機多価陽イオンキレート試薬が、三価鉄に対して１０４．２以上の第１の結合定数と、マグネシウムに対して１０３．８未満の第２の結合定数とを有し、前記第１の結合定数及び前記第２の結合定数が、２０℃の脱イオン水中、ｐＨ８．４５で測定されたものであり、
前記溶解緩衝液は、２５℃でｐＨが８．６超であり、
前記水性組成物は、２５℃でｐＨが約８．４５〜８．８５であり、
前記水性組成物中の前記第１の緩衝液と前記第２の緩衝液との合算した濃度が、少なくとも約１５ｍＭであり、
前記第１の体積の前記第２の体積に対する比が３：１以上であり、前記第２の体積の前記第３の体積に対する比が１：４以下である、前記水性組成物を形成することと、
前記水性組成物を、ポリメラーゼ媒介核酸増幅反応を阻害する物質を封鎖する有効量の水不溶性材料と接触させることと、
前記水性組成物を熱溶解プロセスに付すことと、
前記水性組成物を前記熱溶解プロセスに付した後に、前記水性組成物の一部分を核酸増幅プロセスに付すことと、
を含む、方法。
【請求項２】
前記溶解緩衝液が三価鉄を更に含む、請求項１に記載の方法。
【請求項３】
前記第１の体積の前記第２の体積に対する前記比が５：１以上であり、前記第２の体積の前記第３の体積に対する前記比が１：６以下である、請求項１又は２に記載の方法。
【請求項４】
前記水不溶性材料が、前記第３の体積中、約１０ｍ２／Ｌ〜約６００ｍ２／Ｌの表面積を有する、複数の酸化ジルコニウム粒子を含む、請求項１〜３のいずれか一項に記載の方法。
【請求項５】
前記水性組成物を前記熱溶解プロセスに付した後、かつ前記水性組成物の前記一部分を前記核酸増幅プロセスに付す前に、前記水性組成物の前記一部分を用い、核酸増幅用の脱水された試薬を再水和すること、を更に含む、請求項１〜４のいずれか一項に記載の方法。
【請求項６】
ポリメラーゼ媒介核酸増幅反応を阻害する物質を封鎖する水不溶性材料と、
有機多価陽イオンキレート試薬と、
少なくとも１種のノニオン性界面活性剤と、
三価鉄と、
ポリメラーゼ活性を促進する試薬と、
Ｎ−シクロヘキシル−３−アミノプロパンスルホン酸又はその塩を含む緩衝液と、
水と、
を含み、
１ｍＭ未満のリン酸又はその塩を含み、２５℃でｐＨが約９．８〜１０．５（両端の値を含む）である、溶解緩衝液。
【請求項７】
前記有機多価陽イオンキレート試薬が、三価鉄イオンに対して１０４．２以上の結合定数と、マグネシウムイオンに対して１０３．８未満の結合定数とを有し、前記第１の結合定数及び前記第２の結合定数が、２０℃の脱イオン水中、ｐＨ８．４５で測定されたものである、請求項６に記載の溶解緩衝液。
【請求項８】
塩化カリウムを更に含む、請求項６又は７に記載の溶解緩衝液。
【請求項９】
硫酸アンモニウムを更に含む、請求項６〜８のいずれか一項に記載の溶解緩衝液。
【請求項１０】
前記溶解緩衝液の温度をモニターするための指示染料を更に含む、請求項６〜９のいずれか一項に記載の溶解緩衝液。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
ロータコア；
前記ロータコアの上部に配置されるカバー；
前記ロータコアの外周面に配置されるマグネット；および
前記ロータコアと前記マグネットを収容し、前記カバーに結合する缶部材を含み、
前記カバーは前記カバー胴体から下側に延びる複数個のガイドを含み、
前記ガイドは隣接する前記マグネットの間に位置し、
前記ガイドは前記ロータコアの外周面に配置され、前記缶部材の内側に配置され、
前記缶部材は前記マグネットを囲む円筒形の胴体と、前記円筒形の胴体の縁から軸方向に突出して前記カバーに結合する突起部を含み、
前記カバーはストッパー、環状の内側部と前記内側部の外側に形成された外側部で構成されたカバー胴体を含み、
前記ロータコアの軸方向を基準として前記内側部より前記外側部が高く形成され、
前記突起部は前記外側部に結合し、
前記ストッパーは柱部と、固定部を含み、
前記柱部は前記カバーの内側部の上面から垂直に突出され、
前記固定部は前記柱部の先端から水平に延長されて形成され、前記カバーの上面の上に離れて配置される、請求項１に記載のロータ。
【請求項２】
前記胴体の他側に形成され、前記缶部材の中心に向かって内向きのフランジ部を含む、請求項１に記載のロータ。
【請求項３】
前記突起部は前記ロータコアの円周方向を基準として前記マグネットの中心に位置する、請求項１に記載のロータ。
【請求項４】
前記突起部の個数は前記マグネットの個数と同じである、請求項１に記載のロータ。
【請求項５】
前記外側部は前記ロータコアの中心に向かうほど傾斜するように形成される傾斜面を含む、請求項４に記載のロータ。
【請求項６】
前記外側部は凹むように形成されて前記突起部が結合する結合溝部を含む、請求項５に記載のロータ。
【請求項７】
前記カバーは突出する柱部と前記柱部から延びて形成された固定部で構成されたストッパーを含み、
前記固定部は前記ロータコアの中心から半径方向に前記カバーに結合された前記突起部上に配置される、請求項３に記載のロータ。
【請求項８】
前記柱部は前記内側部の上面から突出し、前記固定部の先端は前記カバーに結合された前記突起の先端より前記ロータコアの中心から半径方向に外側に位置する、請求項７に記載のロータ。
【請求項９】
前記ロータコアの中心を基準として前記固定部の下面は前記固定部の上面より半径方向に長く形成され、
前記固定部の先端は傾いて形成される、請求項８に記載のロータ。
【請求項１０】
前記固定部の先端は曲面を含む、請求項９に記載のロータ。
【請求項１１】
前記ストッパーの個数は前記突起部の個数と同じである、請求項７に記載のロータ。
【請求項１２】
前記ストッパーの個数は前記マグネットの個数と同じである、請求項１０に記載のロータ。
【請求項１３】
ステータ；
前記ステータの内側に配置される請求項１乃至請求項１２のいずれか一項に記載のロータ；および
前記ロータと結合する回転軸を含み、
前記ロータは、
ロータコア；
前記ロータコアの上部に配置されるカバー；
前記ロータコアの外周面に配置されるマグネット；および
前記ロータコアと前記マグネットを収容し、前記カバーに結合する缶部材を含み、
前記缶部材は縁から突出して前記カバーに結合する少なくとも一つの突起部を含み、
前記カバーは環状の内側部と前記内側部の外側に形成された外側部で構成されたカバー胴体を含み、
前記ロータコアの軸方向を基準として前記内側部より前記外側部が高く形成された、モーター。
【手続補正２】
【補正対象書類名】図面
【補正対象項目名】図８
【補正方法】変更
【補正の内容】
【図８】
2019517770.tif 000001
【手続補正３】
【補正対象書類名】図面
【補正対象項目名】図９
【補正方法】変更
【補正の内容】
【図９】
2019517770.tif 000002
【手続補正４】
【補正対象書類名】図面
【補正対象項目名】図１０
【補正方法】変更
【補正の内容】
【図１０】
2019517770.tif 000003
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
患者の骨を切断するシステムにおいて、
モータと、
前記モータに駆動連結された回転軸と、
前記回転軸の周囲に配置され、前記回転軸を複数の位置で支持する支持管と、
前記支持管に連結された複数の操縦ワイヤと、
前記回転軸の遠位端にある骨カッターと、を含み、
前記支持管は、近位セクションと遠位セクションとを含み、前記近位セクションは、複数の操縦ワイヤを使用して前記遠位セクションから独立して操縦可能である、システム。
【請求項２】
前記支持管は、曲げられた位置で少なくとも５Ｎ／ｍｍの剛性を有する、請求項１のシステム。
【請求項３】
前記支持管は、前記支持管の壁を通る複数のスロットを含む、請求項１のシステム。
【請求項４】
検出装置と追跡可能要素とを有するナビゲーションシステムをさらに含む、請求項１のシステム。
【請求項５】
前記ナビゲーションシステムは、光ファイバ形状センサ又は電磁センサのうちの少なくとも１つをさらに含む、請求項４のシステム。
【請求項６】
医療装置において、
壁及び内腔を有する管状部材であって、前記壁を通って延びる複数のスロットを含む管状部材と、
前記管状部材の内腔内に配置された可撓性シャフトであって、前記管状部材に対して回転可能である可撓性シャフトと、
前記可撓性シャフトの遠位端にある骨カッターと、を備え、
前記管状部材は、曲げられた位置で少なくとも５Ｎ／ｍｍの剛性を有し、
前記管状部材は、近位セクション、遠位セクション、及び複数の操縦ワイヤを含み、前記近位セクションは、前記遠位セクションから独立して操縦可能である、医療装置。
【請求項７】
前記遠位セクションは少なくとも４つの操縦ワイヤによって操縦可能であり、各操縦ワイヤは、前記近位セクションの長さに沿って及び前記遠位セクションの長さに沿って延びる第１セクションと、前記近位セクションの長さに沿って及び前記遠位セクションの長さに沿って延びる第２セクションとを含み、前記近位セクションは、少なくとも４つの追加の操縦ワイヤによって操縦可能であり、４つの追加の操縦ワイヤのそれぞれは、近位セクションの長さに沿って延びる第１セクションと、近位セクションの長さに沿って延びる第２セクションとを含む、請求項６の医療装置。
【請求項８】
前記医療装置は包囲された内腔を含む、請求項６の医療装置。
【請求項９】
前記可撓性シャフトは、少なくとも１０，０００ｒｐｍの速度で回転するように構成された、請求項６の医療装置。
【請求項１０】
患者の骨を切断するシステムにおいて、
モータと、
前記モータに駆動連結された回転軸と、
前記回転軸の周囲に配置され、前記回転軸を複数の位置で支持する支持管と、
前記支持管に連結された複数の操縦ワイヤと、
前記回転軸の遠位端にある骨カッターと、を含み、
前記支持管は、近位セクションと遠位セクションとを含み、前記近位セクションは、複数の操縦ワイヤを使用して前記遠位セクションから独立して操縦可能であり、
前記回転軸は、少なくとも１０，０００ｒｐｍの速度で回転するように構成された、システム。
【請求項１１】
検出装置と追跡可能要素とを有するナビゲーションシステムをさらに含む、請求項１０のシステム。
【請求項１２】
前記ナビゲーションシステムは、光ファイバ形状センサ又は電磁センサのうちの少なくとも１つをさらに含む、請求項１０のシステム。
【請求項１３】
前記支持管は、曲げられた位置で少なくとも５Ｎ／ｍｍの剛性を有する、請求項１０のシステム。
【請求項１４】
前記支持管は、前記支持管の壁を通る複数のスロットを含む、請求項１０のシステム。
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
患者の血行動態パラメータを決定するシステムであって、
圧電要素のマトリックスアレイを備える超音波トランスデューサを含む経食道心エコー検査プローブであって、前記患者の心臓の複数の臨床的に関連するビューを単一の位置から取得する、経食道心エコー検査プローブと、
前記経食道心エコー検査プローブに動作可能に接続される１つ又は複数のプロセッサとを有し、前記１つ又は複数のプロセッサが、
前記患者の心臓の複数の臨床的に関連するビューを得るため、前記超音波トランスデューサにより提供される超音波ビームを電子的に操縦することにより前記経食道心エコー検査プローブを制御し、
前記経食道心エコー検査プローブにより提供される前記患者の心臓の複数の臨床的に関連するビューを受信し、及び
前記患者の心臓の受信された複数の臨床的に関連するビューに基づき、前記患者の心臓の１つ又は複数の血行動態パラメータを決定する機械可読命令により構成される、システム。
【請求項２】
前記経食道心エコー検査プローブが、前記複数の臨床的に関連するビューを取得する間、単一の位置に静止している、請求項１に記載のシステム。
【請求項３】
前記患者の心臓の複数の臨床的に関連するビューが、食道ビュー及び上大静脈ビューを含む、請求項１に記載のシステム。
【請求項４】
前記患者の心臓の前記複数の臨床的に関連するビューを受信することが、
前記患者の心臓の複数の臨床的に関連するビューを切り替えることと、
前記患者の血行動態状態における変化が検出されるよう、前記患者の心臓の複数の臨床的に関連するビューのフレームレート更新を調整することとを有する、請求項１に記載のシステム。
【請求項５】
前記複数の臨床的に関連するビューの切り替えが、時間多重方式で行われる、請求項４に記載のシステム。
【請求項６】
前記フレームレート更新が、前記測定された血行動態パラメータからの情報を用いて調整される、請求項４に記載のシステム。
【請求項７】
前記患者の１つ又は複数の血行動態パラメータを決定することが、前記患者の心臓の複数の臨床的に関連するビューを分析し、心拍出量、一回拍出量、駆出率、又は上大静脈直径の変動の１つ又は複数を含む血行動態パラメータを抽出することを有する、請求項１に記載のシステム。
【請求項８】
前記患者の１つ又は複数の血行動態パラメータを決定することが、自動境界抽出と、異常な壁の動きの決定とを含み、前記自動境界抽出は、前記１つ又は複数の血行動態パラメータが導出されるよう心臓チャンバの境界を描写する、請求項１に記載のシステム。
【請求項９】
前記１つ又は複数のプロセッサが更に、
前記患者の心臓の複数の臨床的に関連するビューに対応する画像のディスプレイにおける提示を実現し、及び／又は
前記決定された血行動態パラメータのディスプレイにおける提示を実現する機械可読命令により構成される、請求項１に記載のシステム。
【請求項１０】
前記患者の心臓の前記複数の臨床的に関連するビューのそれぞれに費やされた時間の有効デューティサイクルのユーザによる制御を容易にするユーザインタフェースを更に有する、請求項１に記載のシステム。
【請求項１１】
前記プロセッサが、前記患者の心臓の複数の臨床的に関連するビューの各ビューのリアルタイムのアニメーション画像データを提供する、請求項１に記載のシステム。
【請求項１２】
前記経食道心エコー検査プローブの制御が、前記ビームのビューへの操縦と画像のキャプチャとを繰り返すことにより行われる、請求項１に記載のシステム。
【請求項１３】
前記プロセッサが、加重ラウンドロビン又は加重公平キューイングスケジューリングアルゴリズムのいずれかを用いて、前記超音波トランスデューサにより提供される超音波ビームを操縦する、請求項１に記載のシステム。
【請求項１４】
システムを用いて患者の血行動態パラメータを決定する方法において、前記システムが、
圧電要素のマトリックスアレイを備える超音波トランスデューサを含む経食道心エコー検査プローブであって、前記患者の心臓の複数の臨床的に関連するビューを単一の位置から取得する、経食道心エコー検査プローブと、
前記経食道心エコー検査プローブに動作可能に接続される１つ又は複数のプロセッサであって、機械可読命令により構成される１つ又は複数のプロセッサとを含み、
前記方法は、前記患者の心臓の複数の臨床的に関連するビューを得るため、前記超音波トランスデューサにより提供される超音波ビームを電子的に操縦することにより、前記経食道心エコー検査プローブを前記１つ又は複数のプロセッサにより制御するステップと、
前記経食道心エコー検査プローブにより提供される患者の心臓の複数の臨床的に関連するビューを、前記１つ又は複数のプロセッサにより受信するステップと、
前記患者の心臓の受信された複数の臨床的に関連するビューに基づき、前記患者の心臓の１つ又は複数の血行動態パラメータを、前記１つ又は複数のプロセッサにより決定するステップとを有する、方法。
【請求項１５】
患者の血行動態パラメータを決定するシステムであって、
前記患者の心臓の複数の臨床的に関連するビューを単一の位置から取得する手段と、
前記患者の心臓の複数の臨床的に関連するビューを得る手段を制御する手段であって、前記患者の心臓の複数の臨床的に関連するビューを得る手段により提供される超音波ビームを電子的に操縦する手段を含む、制御する手段と、
前記患者の心臓の複数の臨床的に関連するビューを得る手段により提供される前記患者の心臓の複数の臨床的に関連するビューを受信する手段と、
前記患者の心臓の受信された複数の臨床的に関連するビューに基づき、前記患者の心臓の１つ又は複数の血行動態パラメータを決定する手段とを有する、システム。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
患者の心臓の少なくとも１つの心臓チャンバに刺激パルスを伝達するように構成された刺激回路と、
ある時間間隔にわたって、前記少なくとも１つの心臓チャンバへの１つまたは複数の刺激パターンの刺激パルスの伝達を実行するように構成された少なくとも１つのコントローラと
を備えたシステムであって、
前記１つまたは複数の刺激パターンのうちの第１の刺激パターンは、第１の低減量だけ前記患者の血圧を下げ、
前記１つまたは複数の刺激パターンのうちの第２の刺激パターンは、第２の低減量だけ前記患者の前記血圧を下げ、
前記第１の低減量は前記第２の低減量よりも大きく、
前記第２の低減量は０よりも大きい、患者の血圧を下げるためのシステム。
【請求項２】
前記第１の刺激パターンおよび前記第２の刺激パターンは、刺激の結果ではない前記患者の血圧の変動との相関をもって伝達される、請求項１に記載のシステム。
【請求項３】
前記患者の血圧を検知するように構成された血圧センサをさらに備える、請求項２に記載のシステム。
【請求項４】
前記時間間隔は２４時間周期であり、前記第１の刺激パターンおよび前記第２の刺激パターンは、前記２４時間周期の間の前記患者の必要に基づいて伝達される、請求項１に記載のシステム。
【請求項５】
前記第１の刺激パターンは、昼間の少なくとも一部の間に伝達され、前記第２の刺激パターンは夜間の少なくとも一部の間に伝達される、請求項４に記載のシステム。
【請求項６】
前記第１の刺激パターンは、前記患者による第１のレベルの活動期間中に伝達され、前記第２の刺激パターンは前記患者による第２のレベルの活動期間中に伝達され、前記第１のレベルは、前記第２のレベルよりも低い、請求項４に記載のシステム。
【請求項７】
前記第１の刺激パターンは第１の房室遅延を提供し、前記第２の刺激パターンは第２の房室遅延を提供し、前記第１の房室遅延は前記第２の房室遅延よりも短い、請求項１に記載のシステム。
【請求項８】
前記第１の房室遅延と前記第２の房室遅延との差は、約５ｍｓ〜約３０ｍｓの範囲内である、請求項７に記載のシステム。
【請求項９】
前記刺激パルスの少なくとも１つは、心房の心房収縮により生じる心房内圧が、前記心房の受動内圧上昇と時間が重なり合い、前記刺激により生じる前記心房の心房内圧が、心房収縮により生じる前記心房内圧と前記受動内圧上昇との組み合わせであり、前記刺激がない場合の前記心房の心房内圧よりも高くなり、前記患者の前記血圧が低減されるように前記心臓を刺激し、
前記１つまたは複数の刺激パターンは、房性刺激を低減または防止するように前記心臓を刺激することを含む、請求項１に記載のシステム。
【請求項１０】
前記高い心房内圧は一時的であり、心房内圧の長期的な上昇をもたらさない、請求項９に記載のシステム。
【請求項１１】
前記第１の刺激パターンおよび前記第２の刺激パターンは、ともに房性刺激を低減または防止するように構成されている、請求項１に記載のシステム。
【請求項１２】
前記少なくとも１つのコントローラは、前記時間間隔にわたって、前記少なくとも１つの心臓チャンバへの第３の刺激パターンの刺激パルスの前記伝達を実行するように構成され、前記第３の刺激パターンは前記第１の刺激パターンおよび前記第２の刺激パターンとは異なる、請求項１に記載のシステム。
【請求項１３】
患者の血圧を下げるためのシステムであって、
患者の心臓の少なくとも１つの心臓チャンバに刺激パルスを伝達するように構成された刺激回路と、
前記患者の心臓の少なくとも１つの心臓チャンバに、第１の低減量だけ前記患者の血圧を下げる治療刺激パターンを少なくとも複数日間伝達し、
前記第１の治療刺激パターンの伝達を中止し、前記心臓の前記少なくとも１つの心臓チャンバに、前記第１の低減量よりも少ない量の血圧低下を提供する休止刺激パターンを少なくとも複数日間伝達するように構成された少なくとも１つのコントローラと
を備える、システム。
【請求項１４】
患者の心臓に血圧低下電気刺激を伝達するシステムであって、
患者の心臓の少なくとも１つの心臓チャンバに刺激パルスを伝達するように構成された刺激回路と、
前記心臓の興奮を検知するように構成された少なくとも１つのセンサと、
前記心臓の第１チャンバをペーシングし、第１の遅延後、前記心臓の第２のチャンバをペーシングして所望の血圧変化を得、
前記少なくとも１つのセンサから、前記第１チャンバの第１の固有の興奮を示す第１の信号を受信し、第２の遅延後、前記第２チャンバをペーシングし、
前記第２の遅延から生じた第１の血圧変化を測定し、
前記第１の血圧変化を前記所望の血圧変化と比較し、
前記第２の遅延を、前記第１の血圧変化が前記所望の血圧変化に近くなるように調整するように意図された第３の遅延へと調整し、
前記少なくとも１つのセンサから、前記第１のチャンバの固有の興奮を示す第２の信号を受信し、前記第３の遅延後、前記第２チャンバをペーシングし、
前記第３の遅延から生じた第２の血圧変化を決定し、
前記第２の血圧変化が前記所望の血圧変化に実質的に等しいことを判定し、
前記第１チャンバの固有の興奮の検知と前記第２チャンバへの刺激パルスの伝達との間の前記第３の遅延を有するパルスを含む刺激パターンを前記心臓に伝達するように構成された少なくとも１つのコントローラと
を備える、システム。
【手続補正２】
【補正対象書類名】明細書
【補正対象項目名】発明の名称
【補正方法】変更
【補正の内容】
【発明の名称】血圧を制御するシステム
【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
Flavinofractor plautii、Anaerotruncus colihominis、Dracourtella massiliensis、Clostridium symbiosum、Clostridium bolteae、Dorea longicatena、Blautia productaおよびClostridium innocuumからなる群から選択される種の２つ以上の精製された菌株を含む組成物。
【請求項２】
Flavinofractor plautii、Anaerotruncus colihominis、Dracourtella massiliensis、Clostridium symbiosum、Clostridium bolteae、Dorea longicatena、Blautia productaおよびClostridium innocuumからなる群から選択される種の精製された菌株を含む、組成物。
【請求項３】
Flavinofractor plautii、Anaerotruncus colihominis、Dracourtella massiliensis、Clostridium symbiosum、Clostridium bolteae、Dorea longicatena、Blautia productaおよびClostridium innocuumからなる群から選択される種の精製された菌株からなる、組成物。
【請求項４】
２つ以上の精製された菌株が、配列番号１０、配列番号１４、配列番号１５、配列番号１６、配列番号１７、配列番号１９、配列番号２０および配列番号２１からなる群から選択される核酸配列と少なくとも９７％の相同性を有する１６Ｓ  ｒＤＮＡ配列を含む、２つ以上の精製された菌株を含む組成物。
【請求項５】
精製された菌株が、配列番号１０、配列番号１４、配列番号１５、配列番号１６、配列番号１７、配列番号１９、配列番号２０および配列番号２１からなる群から選択される核酸配列と少なくとも９７％の相同性を有する１６Ｓ  ｒＤＮＡ配列を含む、精製された菌株を含む組成物。
【請求項６】
精製された菌株が、配列番号１０、配列番号１４、配列番号１５、配列番号１６、配列番号１７、配列番号１９、配列番号２０および配列番号２１からなる群から選択される核酸配列と少なくとも９７％の相同性を有する１６Ｓ  ｒＤＮＡ配列を含む、精製された菌株からなる組成物。
【請求項７】
Clostridium scindensを包含しない、請求項１から６のいずれか一項に記載の組成物。
【請求項８】
菌株の１つ以上が、栄養増殖形態である、請求項１から７のいずれか一項に記載の組成物。
【請求項９】
菌株が、凍結乾燥されている、請求項１から８のいずれか一項に記載の組成物。
【請求項１０】
請求項１から９のいずれか一項に記載の組成物を含み、更に薬理学的に許容される賦形剤を含む医薬組成物。
【請求項１１】
経口送達用に製剤化されている、請求項１０に記載の医薬組成物。
【請求項１２】
腸への送達用に製剤化されている、請求項１０または１１に記載の医薬組成物。
【請求項１３】
対象において病原体感染症を処置する方法における使用のための、請求項１から９のいずれか一項に記載の組成物または請求項１０から１２のいずれか一項に記載の医薬組成物。
【請求項１４】
病原体感染症が、C.difficileである、請求項１３に記載の使用のための組成物または医薬組成物。
【請求項１５】
対象が、組成物または医薬組成物の投与前に１ドーズの抗生物質を投与される、請求項１３または１４に記載の使用のための組成物または医薬組成物。
【手続補正２】
【補正対象書類名】明細書
【補正対象項目名】００４４
【補正方法】変更
【補正の内容】
【００４４】
本明細書において提供される組成物の幾つかの態様において、組成物は、２つ以上の精製された菌株を含み、２つ以上の精製された菌株が、配列番号１４〜２２および配列番号８３からなる群から選択される核酸配列と少なくとも９７％の相同性を有する１６Ｓ  ｒＤＮＡ配列を含み、組成物は、配列番号１０の核酸配列と少なくとも９７％の相同性を有する１６Ｓ  ｒＤＮＡ配列を含む菌株を包含しない。本明細書において提供される組成物の幾つかの態様において、組成物は、２つ以上の精製された菌株を含み、２つ以上の精製された菌株が、配列番号１２４〜１５６、配列番号１８、配列番号２２および配列番号８３からなる群から選択される核酸配列と少なくとも９７％の相同性を有する１６Ｓ  ｒＤＮＡ配列を含み、組成物は、配列番号１５７〜１５９からなる群から選択される核酸配列と少なくとも９７％の相同性を有する１６Ｓ  ｒＤＮＡ配列を含む菌株を包含しない。
【手続補正３】
【補正対象書類名】明細書
【補正対象項目名】００８８
【補正方法】変更
【補正の内容】
【００８８】
【図２７Ａ−２７Ｂ】図２７Ａおよび２７Ｂは、図２５に示される実験条件による、C.difficile胞子による感染後の経時的なマウスの生存および重量減少を示す。ベースラインの＞２０％体重が減少したマウスを、生存曲線の死亡数に包含した。図２７Ａは、C.difficile感染前に、示される処置を受けたマウスの生存／死亡率を示す。図２７Ｂは、C.difficile感染前に、示される処置を受けたマウスの、経時的な重量を示す。
【図２８Ａ−２８Ｂ】図２８Ａおよび２８Ｂは、図２５に示される実験条件からの結果を示す。図２８Ａは、C.difficile感染前に、示される処置を受けたマウスの生存／死亡率を示す。図２８Ｂは、C.difficile感染前に、示される処置を受けたマウスの、経時的な重量を示す。
【図２９Ａ−２９Ｂ】図２９Ａおよび２９Ｂは、C.difficileの前に、示す処置を受けたマウスから回収した糞便グラム当たりのＣＦＵによるC.difficile量を示す。図２９Ａは、C.difficile感染後１日におけるC.difficile量を示す。図２９Ｂは、C.difficile感染後４日におけるC.difficile量を示す。図２９Ｃは、C.difficile感染後１９日におけるC.difficile量を示す。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
ヒトＣＤ８１に特異的に結合し、配列番号１または配列番号４の少なくとも１種のＣＤＲ配列を含む、単離されたキメラまたはヒト化抗体。
【請求項２】
前記抗体の軽鎖は配列番号４のＣＤＲ配列のそれぞれを含む、請求項１に記載の抗体。
【請求項３】
重鎖は配列番号１のＣＤＲ配列のそれぞれを含む、請求項１または請求項２に記載の抗体。
【請求項４】
前記重鎖は、配列番号１、２、または３に記載されるアミノ酸配列を含む、請求項１〜３のいずれか１項に記載の抗体。
【請求項５】
前記重鎖はヒトＦｃポリペプチドを含む、請求項４に記載の抗体。
【請求項６】
前記ヒトＦｃポリペプチドはＩｇＧである、請求項５に記載の抗体。
【請求項７】
前記ＩｇＧポリペプチドは高いＡＤＣＣ活性を提供する、請求項６に記載の抗体。
【請求項８】
前記軽鎖は、配列番号４、５、または６に記載されるアミノ酸配列を含む、請求項１〜７のいずれか１項に記載の抗体。
【請求項９】
前記軽鎖はヒトＦｃポリペプチドを含む、請求項８に記載の抗体。
【請求項１０】
増強したＡＤＣＣ活性のために操作されたＦｃ領域を含む、請求項１〜９のいずれか１項に記載の抗体。
【請求項１１】
前記Ｆｃ領域は、糖操作された炭水化物側鎖を含む、請求項１０に記載の抗体。
【請求項１２】
前記Ｆｃ領域は、ＦｃγＲＩＩＩＡへの結合を増強するアミノ酸置換を含む、請求項１０に記載の抗体。
【請求項１３】
切断可能なリンカーによって連結されたアミノ末端アミノ酸残基を含む、請求項１〜９のいずれか１項に記載の抗体。
【請求項１４】
請求項１〜１３のいずれか１項に記載される抗体をコードするポリヌクレオチド。
【請求項１５】
請求項１〜１３のいずれか１項に記載される抗体を産生する細胞。
【請求項１６】
請求項１〜１３のいずれか１項に記載される抗体を含む薬学的組成物。
【請求項１７】
対象において腫瘍成長または転移を低下させるための、請求項１〜１３のいずれか１項に記載される抗体を含む組成物。
【請求項１８】
前記対象はヒトである、請求項１７に記載の組成物。
【手続補正２】
【補正対象書類名】明細書
【補正対象項目名】００８３
【補正方法】変更
【補正の内容】
【００８３】
図７Ａに示されるように、腫瘍細胞（Ｒａｊｉ）細胞は、とりわけより低い抗体濃度において、マウス抗ヒトＣＤ８１抗体５Ａ６に結合するのにＰＢＭＣ（健常ドナーに由来する）よりも有効であり、１：１０００の比率で存在する場合でさえ、抗ＣＤ８１媒介性ＣＤＣに対してより感受性が高い。図７Ｂに示されるように、患者由来リンパ腫Ｂ細胞も、同じ生検標本に存在する正常Ｔ細胞よりも、ＣＤ８１媒介性ＣＤＣに対して感受性が高かった。ＣＤ８１は、濾胞性リンパ腫（ＦＬ）腫瘍Ｂ細胞上、ならびにＦＬサンプルの生検内の正常Ｔ細胞上で発現される。同じＦＬ患者の腫瘍Ｂ及び正常Ｔ細胞に対する、マウス抗ヒトＣＤ８１抗体（マウス定常領域ＩｇＧ２ａを有する配列番号１／配列番号４）によるＣＤＣ媒介性殺傷は、腫瘍Ｂ細胞が、５Ａ６媒介性殺傷に対して正常Ｔ細胞よりも感受性が高いことを明らかにしている。同じ結果が、キメラ抗ヒトＣＤ８１抗体（ヒト重鎖定常領域ＩｇＧ１及びヒト軽鎖定常領域カッパを有する配列番号１／配列番号４）を用いて獲得された。
本発明は、例えば、以下の項目を提供する。
(項目１)
ヒトＣＤ８１に特異的に結合し、配列番号１または配列番号４の少なくとも１種のＣＤＲ配列を含む、単離されたキメラまたはヒト化抗体。
(項目２)
前記抗体の軽鎖は配列番号４のＣＤＲ配列のそれぞれを含む、項目１に記載の抗体。
(項目３)
重鎖は配列番号１のＣＤＲ配列のそれぞれを含む、項目１または項目２に記載の抗体。
(項目４)
前記重鎖は、配列番号１、２、または３に記載されるアミノ酸配列を含む、項目１〜３のいずれか１項に記載の抗体。
(項目５)
前記重鎖はヒトＦｃポリペプチドを含む、項目４に記載の抗体。
(項目６)
前記ヒトＦｃポリペプチドはＩｇＧである、項目５に記載の抗体。
(項目７)
前記ＩｇＧポリペプチドは高いＡＤＣＣ活性を提供する、項目６に記載の抗体。
(項目８)
前記軽鎖は、配列番号４、５、または６に記載されるアミノ酸配列を含む、項目１〜７のいずれか１項に記載の抗体。
(項目９)
前記軽鎖はヒトＦｃポリペプチドを含む、項目８に記載の抗体。
(項目１０)
増強したＡＤＣＣ活性のために操作されたＦｃ領域を含む、項目１〜９のいずれか１項に記載の抗体。
(項目１１)
前記Ｆｃ領域は、糖操作された炭水化物側鎖を含む、項目１０に記載の抗体。
(項目１２)
前記Ｆｃ領域は、ＦｃγＲＩＩＩＡへの結合を増強するアミノ酸置換を含む、項目１０に記載の抗体。
(項目１３)
切断可能なリンカーによって連結されたアミノ末端アミノ酸残基を含む、項目１〜９のいずれか１項に記載の抗体。
(項目１４)
項目１〜１３のいずれか１項に記載される抗体をコードするポリヌクレオチド。
(項目１５)
項目１〜１３のいずれか１項に記載される抗体を産生する細胞。
(項目１６)
項目１〜１３のいずれか１項に記載される抗体を含む薬学的組成物。
(項目１７)
腫瘍成長または転移を低下させる方法であって、前記方法は、項目１〜１３のいずれか１項に記載される抗体の治療上有効量を対象に投与するステップを含む、前記方法。
(項目１８)
前記対象はヒトである、項目１７に記載の方法。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
ベクターをがん細胞中に導入した場合に、少なくとも１つのＮＫＧ２Ｄ活性化リガンドタンパク質を発現する、外来遺伝子を含む組換えウイルスベクターであって、該ベクターがアデノウイルスベクター、レトロウイルスベクター、アデノ随伴ウイルスベクター及び単純ヘルペスウイルス（ＨＳＶ）ベクターからなるウイルスベクターのグループから選択される、ベクター。
【請求項２】
リガンドタンパク質の発現が、がん細胞をＮＫ媒介性細胞傷害に対して感受性にする、請求項１に記載のベクター。
【請求項３】
ＮＫＧ２Ｄリガンドタンパク質がＵＬ１６結合タンパク質（ＵＬＢＰ）である、請求項１に記載のベクター。
【請求項４】
ＮＫＧ２Ｄリガンドタンパク質が、ＵＬＢＰ１、ＵＬＢＰ２、ＵＬＢＰ３、ＵＬＢＰ４、ＵＬＢＰ５又はＵＬＢＰ６からなるＵＬＢＰのグループから選択される１つ以上のＵＬＢＰである、請求項３に記載のベクター。
【請求項５】
ＮＫＧ２Ｄリガンドタンパク質が、ＵＬＢＰ１、ＵＬＢＰ２、ＵＬＢＰ３、ＵＬＢＰ４、ＵＬＢＰ５若しくはＵＬＢＰ６の１つのアミノ酸配列を有するか、又はＵＬＢＰ１、ＵＬＢＰ２、ＵＬＢＰ３、ＵＬＢＰ４、ＵＬＢＰ５若しくはＵＬＢＰ１６の１つのアミノ酸配列に対して少なくとも９５％の同一性を有するタンパク質である、請求項３に記載のベクター。
【請求項６】
ベクターをがん細胞中に導入した場合に、ＵＬＰＢ１、ＵＬＢＰ３、又はＵＬＢＰ１とＵＬＢＰ３の両方を発現する、請求項１に記載のベクター。
【請求項７】
ＮＫＧ２Ｄリガンドの発現が細胞性生体分子の制御調節下にある、上記請求項のいずれか一項に記載のベクター。
【請求項８】
前記細胞性生体分子が、がん細胞中よりも非がん性細胞中において、より高い濃度で生じ、ＮＫＧ２Ｄリガンドの発現が、がん細胞中における発現と比較して非がん性細胞中において下方制御されているものである、請求項７に記載のベクター。
【請求項９】
前記細胞性生体分子がｍｉＲＮＡである、請求項８に記載のベクター。
【請求項１０】
前記ベクターが、１つ以上のｍｉＲＮＡ標的配列、任意選択で、２、３、４、５又は６つの標的配列、任意選択で、タンデムで、及び任意選択で、４ヌクレオチド以上のスペーサーによって隔てられている、請求項９に記載のベクター。
【請求項１１】
１つ以上のｍｉＲＮＡ標的配列が、ｍｉＲＮＡの逆相補体を含む、請求項１０に記載のベクター。
【請求項１２】
前記ｍｉＲＮＡがｍｉｒ１２２、ｍｉｒ１２４、ｍｉｒ１２８、ｍｉｒ１３７及び／又はｍｉｒ１９９を含む、請求項９〜１１のいずれか一項に記載のベクター。
【請求項１３】
前記ｍｉＲＮＡ標的配列（複数可）が、ＮＫＧ２Ｄリガンドを発現する外来遺伝子の３’ＵＴＲ中に挿入されている、請求項９〜１２のいずれか一項に記載のベクター。
【請求項１４】
１つ以上の遺伝子のノックアウト、ノックダウン、欠失、挿入、又はベクターの複製及び／若しくは毒性遺伝子の発現を阻害又はブロックするその他の変異を更に含む、上記請求項のいずれか一項に記載のベクター。
【請求項１５】
ＨＳＶベクターであり、ＩＣＰ０、ＩＣＰ４、ＩＣＰ２２、ＩＣＰ２７及びＩＣＰ４７の１つ以上に、任意選択で、ＩＣＰ０、ＩＣＰ４、ＩＣＰ２２、ＩＣＰ２７及びＩＣＰ４７の全てに１つ以上の遺伝子のノックアウト、ノックダウン、欠失、挿入又はその他の変異がある、請求項１４に記載のベクター。
【請求項１６】
前記ベクターがｉｎ  ｖｉｖｏで複製能力がない、請求項１４又は１５に記載のベクター。
【請求項１７】
前記細胞がＩＤＨｍｕｔ細胞である、上記請求項のいずれか一項に記載のベクター。
【請求項１８】
前記細胞が神経膠芽細胞腫細胞である、上記請求項のいずれか一項に記載のベクター。
【請求項１９】
前記ベクターが腫瘍溶解性である、上記請求項のいずれか一項に記載のベクター。
【請求項２０】
前記ベクターが、腫瘍溶解性因子をコードする外来遺伝子を更に含む、請求項１９に記載のベクター。
【請求項２１】
前記腫瘍溶解性因子が、メタロプロテイナーゼ、プロドラッグ変換酵素、シトシンデアミナーゼ、チミジンキナーゼ又はプリンヌクレオシドホスホリラーゼの１つである、請求項２０に記載のベクター。
【請求項２２】
マトリクス・メタロプロテアーゼ９（ＭＭＰ９）をコードする導入遺伝子を含む、請求項１〜２１のいずれか一項に記載のベクター。
【請求項２３】
ＰＤ−Ｌ１に対する抗体をコードする導入遺伝子を含む、請求項１〜２１のいずれか一項に記載のベクター。
【請求項２４】
ＭＭＰ９、ＵＬＰＢ１及びＵＬＰＢ３の1つ又は両方、任意選択で、ＰＤ−Ｌ１に対する抗体をコードする導入遺伝子を含む、請求項１〜２１のいずれか一項に記載のベクター。
【請求項２５】
ＵＬＰＢ１及びＵＬＰＢ３の１つ又は両方をコードする導入遺伝子（複数可）が、ｍｉＲＮＡの調節下にある、請求項２４に記載のベクター。
【請求項２６】
前記ｍｉＲＮＡがｍｉｒ１２４である、請求項２５に記載のベクター。
【請求項２７】
前記核酸が、任意選択で、細菌人工染色体（ＢＡＣ）である、上記請求項のいずれか一項に記載のベクターをコードする核酸。
【請求項２８】
請求項１〜２６のいずれか一項に記載のベクター、及び医薬的に許容される担体を含む、医薬組成物。
【請求項２９】
請求項１〜２６のいずれか一項に記載のベクターを含む、ウイルスストック。
【請求項３０】
請求項１〜２６のいずれかに記載のベクター、請求項２８に記載の医薬組成物、又は請求項２９に記載のウイルスストックを含む、がん細胞中においてＮＫＧ２Ｄリガンドタンパク質を発現させるための剤であって、前記ベクターが、がん細胞をインフェクトし、ＮＫＧ２Ｄリガンドタンパク質を発現させるために十分な条件下で、該がん細胞に投与される、剤。
【請求項３１】
前記がん細胞が神経膠芽細胞腫細胞である、請求項３０に記載の剤。
【請求項３２】
哺乳動物におけるがんの治療剤であって、請求項１〜２６のいずれか一項に記載のベクター、請求項２８に記載の医薬組成物、又は請求項２９に記載のストックを含む、剤。
【請求項３３】
前記がんが神経膠腫である、請求項３２に記載の剤。
【請求項３４】
腫瘍に対して直接投与される、請求項３２又は３３に記載の剤。
【請求項３５】
前記投与が頭蓋内注射によるものである、請求項３４に記載の剤。
【請求項３６】
哺乳動物がヒトである、請求項３２〜３５のいずれか一項に記載の剤。
【請求項３７】
ｉｎ  ｖｉｔｒｏで、がん細胞中においてＮＫＧ２Ｄリガンドタンパク質を発現させるための方法であって、該方法が、前記ベクターが、がん細胞をインフェクトし、ＮＫＧ２Ｄリガンドタンパク質を発現させるために十分な条件下で、請求項１〜２６のいずれかに記載のベクター、請求項２８に記載の医薬組成物、又は請求項２９に記載のウイルスストックを投与すること含む、方法。
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
ソールの反対側のクラウン、ヒール端部の反対側のトウ端部、後端部、およびホーゼルを有するクラブ本体と、
前記クラブ本体に結合されるように構成された第１の磁石と、
前記第１の磁石に選択的に係合可能な第２の磁石と、を備え、
第１の構成において、前記第１の磁石と前記第２の磁石が引き合い、
第２の構成において、前記第１の磁石と前記第２の磁石は引き合わず、
前記第２の磁石は、前記第１の構成と前記第２の構成の間で、前記第１の磁石に対して回転するように構成される、ゴルフクラブヘッド。
【請求項２】
前記第１の磁石は、前記ソールに結合される、請求項１に記載のゴルフクラブヘッド。
【請求項３】
前記第１の磁石は、ウェイト取付け点に結合される、請求項１または２に記載のゴルフクラブヘッド。
【請求項４】
前記ウェイト取付け点は、前記ソール上に位置する、請求項３に記載のゴルフクラブヘッド。
【請求項５】
前記ウェイト取付け点は、前記ソールに形成されるチャネル内に位置する、請求項３に記載のゴルフクラブヘッド。
【請求項６】
前記第２の磁石は、前記第１の構成を達成するために第１の方向に、また前記第２の構成を達成するために第２の方向に、前記第１の磁石に対して回転するように構成される、請求項１から５のいずれか一項に記載のゴルフクラブヘッド。
【請求項７】
前記第１の方向は、前記第２の方向と反対である、請求項６に記載のゴルフクラブヘッド。
【請求項８】
前記第１の方向は、前記第２の方向と同じである、請求項６に記載のゴルフクラブヘッド。
【請求項９】
前記第１の磁石および前記第２の磁石は、定義されたパターンに配置される多極構造を用いてプログラムされる、請求項１から８のいずれか一項に記載のゴルフクラブヘッド。
【請求項１０】
前記第２の磁石は、ウェイトを含む、請求項１から９のいずれか一項に記載のゴルフクラブヘッド。
【請求項１１】
前記第２の磁石は第１のウェイトを含み、
前記ゴルフクラブヘッドは、第３の磁石をさらに備え、
前記第３の磁石は、第２のウェイトを含み、
前記第２の磁石および前記第３の磁石は、別々に、前記第１の磁石に選択的に係合するように構成され、
前記第１のウェイトは第１の質量を有し、
前記第２のウェイトは第２の質量を有し、
前記第１の質量は、前記第２の質量とは異なる、請求項１０に記載のゴルフクラブヘッド。
【請求項１２】
前記第２の磁石は、ウェイトを備える、請求項１に記載のゴルフクラブヘッド。
【請求項１３】
前記第２の磁石はウェイトに結合される、請求項１２に記載のゴルフクラブヘッド。
【請求項１４】
前記クラブ本体は凹部を含み、
前記第１の磁石は、前記凹部により受け入れられるように構成される、請求項１２または１３に記載のゴルフクラブヘッド。
【請求項１５】
前記第２の磁石は、前記凹部内の前記第１の磁石に選択的に結合されるように構成される、請求項１４に記載のゴルフクラブヘッド。